(57)【要約】【課題】主に各種電子機器の操作に用いられるリモコン送信機に関し、使い易く、確実な操作が可能なものを提供することを目的とする。【解決手段】扉体１６内側面にケース１５側面の溝部１５Ａに係合する壁部１６Ａを設けると共に、扉体１６下面にケース１５上面の窪部１５Ｂに係止される一対の爪部１６Ｂを形成することで、扉体１６を開いた際、扉体１６の壁部１６Ａとケース１５の溝部１５Ａ、及び扉体１６の爪部１６Ｂとケース１５の窪部１５Ｂによって、扉体１６をケース１５に確実に保持できると共に、扉体１６を回転することで、扉体１６をケース１５に容易に着脱できるため、使い易く、確実な操作が可能なリモコン送信機を得ることができる。【選択図】図１
2013089748.tif 000002
【特許請求の範囲】
【請求項１】
略箱型のケースと、このケース上面から突出した複数の操作キーと、この操作キーの上下動に応じて電気的接離を行うスイッチ接点と、上記ケース上面に摺動可能に装着され上記操作キーを覆う扉体と、上記スイッチ接点の電気的接離に応じて、送信手段からリモコン信号を送信する制御手段からなり、上記扉体内側面に上記ケース側面の溝部に係合する壁部を設けると共に、上記扉体下面に上記ケース上面の窪部に係止される一対の爪部を形成したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化や多様化が進むなか、これらを遠隔操作するリモコン送信機においても、使い易く、確実な操作を行えるものが求められている。
【０００３】
このような従来のリモコン送信機について、図５〜図７を用いて説明する。
【０００４】
図５は従来のリモコン送信機の断面図、図６は同斜視図であり、同図において、１は略箱型で絶縁樹脂製のケース、２はゴム等の操作体で、操作体２上面には下方に略ドーム状の薄肉部が形成された複数の操作キー２Ａや２Ｂが設けられると共に、この複数の操作キー２Ａや２Ｂが、ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４が設けられ、この固定接点４が複数の操作キー２Ａや２Ｂの下面に形成されたカーボン等の可動接点５と、所定の間隙を空けて対向して複数のスイッチ接点が形成されている。
【０００６】
また、６は絶縁樹脂製の扉体で、ケース１上面に複数の操作キー２Ｂを覆うように、前後方向へ摺動可能に装着されると共に、ケース１後端の外側面と扉体６前端の内側面には、一対の突起部１Ａと６Ａが設けられている。
【０００７】
さらに、７は液晶表示素子等の表示手段、８は発光ダイオード等のリモコン信号を送信する送信手段、９はマイコン等の制御手段で、これらが配線基板３の上下面に実装されると共に、表示手段７や送信手段８、複数の固定接点４が、配線パターンを介して制御手段９に接続されている。
【０００８】
そして、ケース１下面を絶縁樹脂製のカバー１０が覆うと共に、ケース１後端には複数の電池１１が収納され、これを扉体６が覆って、リモコン送信機が構成されている。
【０００９】
なお、複数の操作キー２Ａや２Ｂは、例えばこれがエアコン操作用のリモコン送信機であった場合、図７（ａ）の平面図に示すように、ケース１上面に突出した複数の操作キー２Ａは、電源の入／切や冷暖房の切換え等の、通常頻繁に使用される操作に用いられ、閉じた状態では扉体６に覆われている複数の操作キー２Ｂは、温度の増減や、風量や風向の切換え、タイマーの時刻設定等の、比較的使用頻度の少ないものに用いられる。
【００１０】
以上の構成において、扉体６が閉じた状態で、リモコン送信機を操作する電子機器、例えばエアコンに向けて、ケース１上面から突出した所定の操作キー２Ａを指で押圧操作すると、略ドーム状の薄肉部が弾性変形して操作キー２Ａが下方へ移動し、この下面の可動接点５が複数の固定接点４と接触して、スイッチ接点の電気的接離が行われる。
【００１１】
そして、この固定接点４の電気的接離を制御手段９が検出して、この操作に応じた赤外線のリモコン信号を送信手段８から電子機器へ送信し、これによって例えば、エアコンの冷房作動が遠隔操作によって行われる。
【００１２】
また、図７（ｂ）に示すように、扉体６を後方へ摺動し、図７（ｃ）に示すように、扉体６が開いた状態で、所定の操作キー２Ｂを押圧操作すると、この下面の可動接点５が複数の固定接点４と接触して、スイッチ接点の電気的接離が行われ、制御手段９が送信手段８からリモコン信号を送信し、例えば、設定温度の切換え等が遠隔操作によって行われる。
【００１３】
なお、この時、扉体６前端の内側面に形成された一対の突起部６Ａが、ケース１後端の外側面に設けられた一対の突起部１Ａに当接して、扉体６が図７（ｃ）に示すような、開いた状態に保持されるようになっている。
【００１４】
つまり、ふだん頻繁に行う冷暖房の入／切等は、扉体６を閉めた状態で、ケース１上面から突出した操作キー２Ａを用いて遠隔操作し、設定温度の切換え等を行う場合には、扉体６を開き、操作キー２Ｂを用いて遠隔操作を行うように構成されているものであった。
【００１５】
なお、この出願の発明に関連する先行技術文献情報としては、例えば、特許文献１が知られている。
【先行技術文献】
【特許文献】
【００１６】
【特許文献１】特開２００９−１７０３２９号公報
【発明の概要】
【発明が解決しようとする課題】
【００１７】
しかしながら、上記従来のリモコン送信機においては、扉体６内側面の突起部６Ａをケース１外側面の突起部１Ａに当接させて、扉体６を開いた状態に保持しているため、扉体６を開く際、強く扉体６を摺動すると、扉体６の両側面が外方へ開き、図７（ｄ）に示すように、扉体６がケース１から外れ、その衝撃で収納された電池１１が外れてしまい、再度電池１１を入れ直すといった手間がかかってしまう場合があるという課題があった。
【００１８】
本発明は、このような従来の課題を解決するものであり、扉体の保持が確実に行え、使い易く、確実な操作が可能なリモコン送信機を提供することを目的とする。
【課題を解決するための手段】
【００１９】
上記目的を達成するために本発明は、扉体内側面にケース側面の溝部に係合する壁部を設けると共に、扉体下面にケース上面の窪部に係止される一対の爪部を形成してリモコン送信機を構成したものであり、扉体を開いた際、扉体の壁部とケースの溝部、及び扉体の爪部とケースの窪部によって、扉体をケースに確実に保持できると共に、扉体を回転することで、扉体をケースに容易に着脱できるため、使い易く、確実な操作が可能なリモコン送信機を得ることができるという作用を有するものである。
【発明の効果】
【００２０】
以上のように本発明によれば、使い易く、確実な操作が可能なリモコン送信機を実現できるという有利な効果が得られる。
【図面の簡単な説明】
【００２１】
【図１】本発明の一実施の形態によるリモコン送信機の断面図
【図２】同斜視図
【図３】同平面図
【図４】同断面図
【図５】従来のリモコン送信機の断面図
【図６】同斜視図
【図７】同平面図
【発明を実施するための形態】
【００２２】
以下、本発明の実施の形態について、図１〜図４を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるリモコン送信機の断面図、図２は同斜視図であり、同図において、１５は略箱型でポリスチレンやＡＢＳ等の絶縁樹脂製のケース、２はゴムやエラストマー等の操作体で、操作体２上面には下方に略ドーム状の薄肉部が形成された複数の操作キー２Ａや２Ｂが設けられると共に、この複数の操作キー２Ａや２Ｂが、ケース１５上面の複数の開口孔から上下動可能に突出している。
【００２５】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点４が設けられ、この固定接点４が複数の操作キー２Ａや２Ｂの下面に形成されたカーボン等の可動接点５と、所定の間隙を空けて対向して複数のスイッチ接点が形成されている。
【００２６】
また、１６は絶縁樹脂製の扉体で、ケース１５上面に複数の操作キー２Ｂを覆うように、前後方向へ摺動可能に装着されると共に、扉体１６の両内側面にはケース１５両側面の溝部１５Ａに係合する壁部１６Ａが、扉体１６下面の前後端にはケース１５上面後端の窪部１５Ｂに係止される、上下方向へ弾性変形可能な一対の爪部１６Ｂと１６Ｃが各々設けられている。
【００２７】
さらに、７は液晶表示素子等の表示手段、８は発光ダイオード等のリモコン信号を送信する送信手段、９はマイコン等の制御手段で、これらが配線基板３の上下面に実装されると共に、表示手段７や送信手段８、複数の固定接点４が、配線パターンを介して制御手段９に接続されている。
【００２８】
そして、ケース１５下面を絶縁樹脂製のカバー１０が覆うと共に、ケース１５後端には複数の電池１１が収納され、これを扉体１６が覆って、リモコン送信機が構成されている。
【００２９】
なお、複数の操作キー２Ａや２Ｂは、例えばこれがエアコン操作用のリモコン送信機であった場合、図３（ａ）の平面図に示すように、ケース１５上面に突出した複数の操作キー２Ａは、電源の入／切や冷暖房の切換え等の、通常頻繁に使用される操作に用いられ、閉じた状態では扉体１６に覆われている複数の操作キー２Ｂは、温度の増減や、風量や風向の切換え、タイマーの時刻設定等の、比較的使用頻度の少ないものに用いられる。
【００３０】
以上の構成において、図３（ａ）や図４（ａ）の断面図に示すように、扉体１６が閉じた状態では、扉体１６内側面の壁部１６Ａがケース１５両側面の溝部１５Ａに係合すると共に、扉体１６下面後端の一対の爪部１６Ｃがやや撓んだ状態で、ケース１５上面後端の窪部１５Ｂに弾接して、扉体１６ががたつき等のない状態でケース１５上面に保持されている。
【００３１】
また、この扉体１６が閉じた状態で、リモコン送信機を操作する電子機器、例えばエアコンに向けて、ケース１５上面から突出した所定の操作キー２Ａを指で押圧操作すると、略ドーム状の薄肉部が弾性変形して操作キー２Ａが下方へ移動し、この下面の可動接点５が複数の固定接点４と接触して、スイッチ接点の電気的接離が行われる。
【００３２】
そして、この固定接点４の電気的接離を制御手段９が検出して、この操作に応じた赤外線のリモコン信号を送信手段８から電子機器へ送信し、これによって例えば、エアコンの冷房作動が遠隔操作によって行われる。
【００３３】
また、図３（ｂ）に示すように、扉体１６を後方へ摺動し、図３（ｃ）や図４（ｂ）に示すように、扉体１６が開いた状態で、所定の操作キー２Ｂを押圧操作すると、この下面の可動接点５が複数の固定接点４と接触して、スイッチ接点の電気的接離が行われ、制御手段９が送信手段８からリモコン信号を送信し、例えば、設定温度の切換え等が遠隔操作によって行われる。
【００３４】
そして、この扉体１６が開いた状態では、扉体１６内側面の壁部１６Ａがケース１５両側面の溝部１５Ａに係合すると共に、扉体１６下面前端の一対の爪部１６Ｂがやや撓んだ状態で、ケース１５上面後端の窪部１５Ｂに弾接して、扉体１６ががたつき等のない状態でケース１５上面に保持されている。
【００３５】
つまり、ふだん頻繁に行う冷暖房の入／切等は、扉体１６を閉めた状態で、ケース１５上面から突出した操作キー２Ａを用いて遠隔操作し、設定温度の切換え等を行う場合には、扉体１６を開き、操作キー２Ｂを用いて遠隔操作を行うように構成されている。
【００３６】
そして、この時、上記のように、扉体１６内側面の壁部１６Ａがケース１５両側面の溝部１５Ａに係合すると共に、扉体１６が閉じた状態では、扉体１６下面後端の一対の爪部１６Ｃが、開いた状態では前端の一対の爪部１６Ｂが、やや撓んだ状態で各々ケース１５上面後端の窪部１５Ｂに弾接することによって、開いた状態でも閉じた状態でも扉体１６ががたつき等のない状態で、確実にケース１５上面に保持されるようになっている。
【００３７】
さらに、扉体１６を開く際、扉体１６を強く摺動した場合でも、扉体１６とケース１５両側面の壁部１６Ａと溝部１５Ａが係合すると共に、上下面の一対の爪部１６Ｂが窪部１５Ｂに弾接して、扉体１６が開いた状態に係止されるようになっているため、多少強い力で扉体１６を開いた場合でも、扉体１６がケース１５から外れることのないように形成されている。
【００３８】
なお、ケース１５に収納された電池１１を交換する場合には、図４（ｃ）に示すように、扉体１６を下方へ回転し、一対の爪部１６Ｂを窪部１５Ｂから浮かすようにすることで、比較的容易に扉体１６をケース１５から取り外すことができ、また、電池１１を交換した後は、これとは逆に壁部１６Ａを溝部１５Ａに挿入し、爪部１６Ｂを窪部１５Ｂに押し付けながら、扉体１６をケース１５に装着することで、容易に取り付けを行うことができる。
【００３９】
すなわち、扉体１６を開いた際、あるいは閉じた状態では、扉体１６の壁部１６Ａとケース１５の溝部１５Ａ、及び扉体１６の爪部１６Ｂまたは１６Ｃとケース１５の窪部１５Ｂによって、扉体１６をケース１５に確実に保持できると共に、電池１１を交換する際には、扉体１６を回転することで、扉体１６をケース１５に容易に着脱できるようになっている。
【００４０】
なお、以上の説明では、配線基板３上面の複数の固定接点４と、この上面に載置された操作体２の操作キー２Ａや２Ｂ下面の可動接点５を対向させて、複数のスイッチ接点を形成した構成について説明したが、配線基板３上面の固定接点上に、略ドーム状で導電金属薄板製の可動接点を載置したものや、あるいは配線基板３上に、複数の個別のプッシュスイッチを実装したもの等、様々なスイッチ接点を用いた構成においても、本発明の実施は可能である。
【００４１】
このように本実施の形態によれば、扉体１６内側面にケース１５側面の溝部１５Ａに係合する壁部１６Ａを設けると共に、扉体１６下面にケース１５上面の窪部１５Ｂに係止される一対の爪部１６Ｂや１６Ｃを形成することで、扉体１６を開いた際、扉体１６の壁部１６Ａとケース１５の溝部１５Ａ、及び扉体１６の爪部１６Ｂとケース１５の窪部１５Ｂによって、扉体１６をケース１５に確実に保持できると共に、扉体１６を回転することで、扉体１６をケース１５に容易に着脱できるため、使い易く、確実な操作が可能なリモコン送信機を得ることができるものである。
【産業上の利用可能性】
【００４２】
本発明によるリモコン送信機は、使い易く、確実な操作が可能なものを得ることができるという有利な効果を有し、主に各種電子機器の操作用として有用である。
【符号の説明】
【００４３】
２  操作体
２Ａ、２Ｂ  操作キー
３  配線基板
４  固定接点
５  可動接点
７  表示手段
８  送信手段
９  制御手段
１０  カバー
１１  電池
１５  ケース
１５Ａ  溝部
１５Ｂ  窪部
１６  扉体
１６Ａ  壁部
１６Ｂ、１６Ｃ  爪部
【図１】
2013089748.tif 000003
【図２】
2013089748.tif 000004
【図３】
2013089748.tif 000005
【図４】
2013089748.tif 000006
【図５】
2013089748.tif 000007
【図６】
2013089748.tif 000008
【図７】
2013089748.tif 000009